(57)【要約】【課題】各種電子機器に使用される開閉装置及びこれを用いた電子機器に関し、簡易な構成で、多様な操作が可能なものを提供することを目的とする。【解決手段】略板状の固定体１１上面に、所定方向へ移動及び回転可能に可動体１４を載置すると共に、この可動体１４を移動及び回転方向へ付勢するばね１７を設けることによって、簡易な構成で移動及び回転の複合操作が可能となり、使い易く安価な開閉装置及びこれを用いた電子機器を得ることができる。【選択図】図１
2006352729.tif 000002
【特許請求の範囲】
【請求項１】
略板状の固定体と、この固定体上面に所定方向へ移動及び回転可能に配置された可動体と、この可動体を移動及び回転方向へ付勢するばねからなる開閉装置。
【請求項２】
固定体と可動体の間に、可動体を所定方向へ移動及び回転させるガイド手段を設けた請求項１記載の開閉装置。
【請求項３】
請求項１記載の開閉装置の固定体及び可動体を、固定筐体及び可動筐体に装着し、上記固定筐体に対し可動筐体を所定方向へ移動及び回転可能に保持した電子機器。
【発明の詳細な説明】
【技術分野】
【０００１】
本発明は、携帯電話やパーソナルコンピュータ等の各種電子機器に使用される開閉装置、及びこれを用いた電子機器に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、安価で使い易く、多様な操作の可能なものが求められている。
【０００３】
このような従来の開閉装置を用いた電子機器について、主に携帯電話を例に、図６及び図７を用いて説明する。
【０００４】
図６は従来の携帯電話の斜視図であり、同図において、１は固定筐体で、この上面には数字や文字を入力するためのテンキー等の操作部２や、マイクロフォン等の音声入力部３が形成されている。
【０００５】
また、４は固定筐体１上面に載置された可動筐体で、この上面には電源キーや通話キー等の操作部５や、液晶表示素子等の表示部６、スピーカ等の音声出力部７が形成されている。
【０００６】
そして、固定筐体１と可動筐体４の間には開閉装置８が装着され、この開閉装置８によって固定筐体１に対して可動筐体４が上下方向へ移動可能に保持されて、電子機器が構成されている。
【０００７】
以上の構成において、図６（ａ）に示すように、可動筐体４が固定筐体１上に重なった状態、つまり閉じた状態では、携帯電話を横にして表示部６で受信したテレビを見たり、或いは、操作部５を操作して表示部６に表示されたメニューを選択したりすることができる。
【０００８】
また、通話を行う場合には、図６（ｂ）に示すように、可動筐体４を上方へ移動して操作部２や音声入力部３を露出させ、この操作部２を操作して電話をかけたり、或いは、音声入力部３や音声出力部７によって通話を行ったりするように構成されている。
【０００９】
なお、このように可動筐体４を上下方向へ移動させて開閉を行うもののほか、図７に示すように、固定筐体１に対して可動筐体４を回転させて開閉を行うものもあり、この形式のものは、図７（ｂ）に示すように、可動筐体４を９０度回転し、表示部６を横にして受信したテレビを見たり、露出した操作部２を操作して、表示部６を見ながら数字や文字を入力したりする場合等には便利な構成となっている。
【００１０】
ただ、通話を行う際には、図７（ｃ）に示すように、可動筐体４をさらに回転して、音声入力部３と音声出力部７を口と耳の位置に合わせる必要があり、急に電話がかかってきた場合等には、やや手間のかかるものであった。
【００１１】
なお、この出願の発明に関連する先行技術文献情報としては、例えば、特許文献１が知られている。
【特許文献１】特開２００３−１１０６７５号公報
【発明の開示】
【発明が解決しようとする課題】
【００１２】
しかしながら、上記従来の開閉装置を用いた電子機器においては、固定筐体１に対して可動筐体４を移動または回転して開閉操作を行っているため、機器の多様化や高機能化に合わせ、これらを複合した操作を行う場合、複数の開閉装置を用いる必要があり、構成が複雑で高価なものとなるという課題があった。
【００１３】
本発明は、このような従来の課題を解決するものであり、簡易な構成で、多様な操作が可能な開閉装置及びこれを用いた電子機器を提供することを目的とする。
【課題を解決するための手段】
【００１４】
上記目的を達成するために本発明は、以下の構成を有するものである。
【００１５】
本発明の請求項１に記載の発明は、略板状の固定体上面に、所定方向へ移動及び回転可能に可動体を載置すると共に、この可動体を移動及び回転方向へ付勢するばねを設けて開閉装置を構成したものであり、可動体が移動及び回転可能に形成されると共に、ばねによって所定方向へ付勢されているため、簡易な構成で移動及び回転の複合操作が可能となり、使い易く安価な開閉装置を得ることができるという作用を有する。
【００１６】
請求項２に記載の発明は、請求項１記載の発明において、固定体と可動体の間に、可動体を所定方向へ移動及び回転させるガイド手段を設けたものであり、ガイド手段によって可動体を所定位置に保持できるため、開閉装置をさらに使い易いものとすることができるという作用を有する。
【００１７】
請求項３に記載の発明は、請求項１記載の開閉装置の固定体及び可動体を、固定筐体及び可動筐体に装着し、固定筐体に対し可動筐体を所定方向へ移動及び回転可能に保持して電子機器を構成したものであり、簡易な構成で、使い易く安価な電子機器を実現することができるという作用を有する。
【発明の効果】
【００１８】
以上のように本発明によれば、簡易な構成で、多様な操作が可能な開閉装置及びこれを用いた電子機器を実現することができるという有利な効果が得られる。
【発明を実施するための最良の形態】
【００１９】
以下、本発明の実施の形態について、図１〜図５を用いて説明する。
【００２０】
（実施の形態）
図１は本発明の一実施の形態による開閉装置の平面図、図２は同分解斜視図であり、同図において、１１は鋼や銅合金等の金属製で略板状の固定体で、中間部が上方へ折曲され、上端に貫通孔１１Ａが形成されると共に、上面にはピン１２がかしめ等によって固着され、このピン１２にリング１３が回転可能に装着されている。
【００２１】
また、１４は鋼や銅合金等の金属製または絶縁樹脂製の可動体で、長孔１４ＡとＬ字状に直交する通孔１４Ｂ、１４Ｃが設けられると共に、下端には略板状の取付板１５がかしめ等によって固着されている。
【００２２】
そして、１６は鋼や銅合金等の金属製で略円筒状の止め輪で、大径の鍔部１６Ａ下面が可動体１４上面に当接すると共に、筒部１６Ｂは長孔１４Ａや貫通孔１１Ａを挿通し、下端が固定体１１下面にかしめ等によって固着されている。
【００２３】
つまり、下端が固定体１１に固着された止め輪１６と長孔１４Ａによって、固定体１１と可動体１４の間にガイド手段が形成され、可動体１４が固定体１１上面に、移動及び回転可能に装着載置されている。
【００２４】
さらに、固定体１１に固着されたピン１２に回転可能に装着されたリング１３が、可動体１４の通孔１４Ｂ内に移動及び回転可能に挿入され、これらピン１２やリング１３、通孔１４Ｂや１４Ｃによっても、固定体１１と可動体１４の間にガイド手段が形成されている。
【００２５】
また、１７は中間部が巻回された鋼線や銅合金線等のばねで、このばね１７はやや撓んだ状態で、一端の折曲された係止部１７Ａが、可動体１４に固着された取付板１５上端の取付孔１５Ａに、他端の巻回された係止部１７Ｂが、固定体１１に固着されたピン１２先端に各々係止されている。
【００２６】
つまり、このばね１７がやや撓んだ状態で固定体１１と可動体１４の間に装着されることによって、固定体１１に対し可動体１４が下方向へ付勢されると共に、長孔１４Ａ上端が止め輪１６に、通孔１４Ｂ上端がリング１３に各々当接し、可動体１４が位置決めされ保持されて開閉装置２０が構成されている。
【００２７】
そして、このように構成された開閉装置２０は、例えば、図５（ａ）の携帯電話の斜視図に示すように、固定体１１が上面に電源キーや通話キー、テンキー等の操作部２１やマイクロフォン等の音声入力部２２が形成された固定筐体２３へ、可動体１４が液晶表示素子等の表示部２４やスピーカ等の音声出力部２５が形成された可動筐体２６へ各々装着固定され、開閉装置２０によって固体筐体２３に対して可動筐体２６が移動及び回転可能に保持されて、電子機器が構成される。
【００２８】
以上の構成において、図１に示したように、ばね１７によって固定体１１に対して可動体１４が下方向へ付勢された状態では、図５（ａ）に示すように、可動体１４が装着された可動筐体２６は、固定筐体２３に対して閉じた状態で保持されている。
【００２９】
そして、この閉状態から、図５（ｂ）に示すように、可動筐体２６を手で上方向へ移動させると、この操作に伴って図３の平面図に示すように、長孔１４Ａが止め輪１６に、通孔１４Ｂがリング１３によって各々ガイドされながら、可動筐体２６に装着された可動体１４が上方向へ移動し、ばね１７の係止部１７Ａが係止部１７Ｂを超える位置になると、ばね１７が反転する。
【００３０】
この後、ばね１７によって上方向へ付勢された可動体１４がさらに移動し、長孔１４Ａ下端が止め輪１６に、通孔１４Ｂ下端がリング１３に各々当接すると、可動体１４がこの位置に保持され、可動筐体２６が上方向へ移動し開いた状態となる。
【００３１】
つまり、可動筐体２６が閉じた図５（ａ）の状態で、電話がかかってきた場合等に、可動筐体２６を手で上方向へ移動させると、図５（ｂ）に示すように、開閉装置２０によって可動筐体２６が開き、すべての操作部２１が露出し操作可能になると共に、音声入力部２２と音声出力部２５が口と耳の位置に保持され、通話を行うことが可能となる。
【００３２】
そして、この上下方向への移動時、ばね１７の反転力によって、可動体１４が装着された可動筐体２６は、ある位置からは上方向または下方向へ付勢されるため、開閉操作の途中で手を離しても、開または閉位置に可動筐体２６が移動し保持されるように構成されている。
【００３３】
さらに、可動体１４の移動や保持が、長孔１４Ａと止め輪１６、及び通孔１４Ｂとリング１３等の、固定体１１と可動体１４の間に設けたガイド手段によってガイドされて行われるため、がたつき等がなく滑らかに可動筐体２６の移動が行われると共に、開または閉位置での確実な保持が行われる。
【００３４】
また、この状態から、可動筐体２６を時計方向へ回転すると、図４の平面図に示すように、止め輪１６に当接した長孔１４Ａ端部を支点として可動体１４が回転すると共に、リング１３が通孔１４Ｂから通孔１４Ｃに移動し、通孔１４Ｃもリング１３にガイドさればね１７を撓めながら回転して、通孔１４Ｃ下端がリング１３に当接すると、可動体１４がこの位置に保持され、可動筐体２６が時計方向へ９０度回転した状態となる。
【００３５】
つまり、可動筐体２６が上方向へ移動した図５（ｂ）の状態から、可動筐体２６を手で時計方向へ回転すると、図５（ｃ）に示すように、開閉装置２０によって可動筐体２６が横向きとなって、受信したテレビを表示部２４で見たり、露出した操作部２１を操作して、表示部２４を見ながら数字や文字を入力したりすることが可能となる。
【００３６】
そして、この回転操作時にも、ばね１７の付勢力と、長孔１４Ａと止め輪１６、及び通孔１４Ｃとリング１３等のガイド手段によって、可動体１４の回転や保持が行われるため、滑らかに可動筐体２６の回転が行われると共に、９０度回転した位置での確実な保持が可能なように構成されている。
【００３７】
このように本実施の形態によれば、略板状の固定体１１上面に、所定方向へ移動及び回転可能に可動体１４を載置すると共に、この可動体１４を移動及び回転方向へ付勢するばね１７を設けることによって、簡易な構成で移動及び回転の複合操作が可能となり、使い易く安価な開閉装置及びこれを用いた電子機器を得ることができるものである。
【００３８】
また、固定体１１と可動体１４の間に、長孔１４Ａと止め輪１６、及び通孔１４Ｂや１４Ｃとリング１３等の、可動体１４を所定方向へ移動及び回転させるガイド手段を設けることによって、滑らかな操作と所定位置での確実な保持が可能となり、開閉装置をさらに使い易いものとすることができる。
【００３９】
なお、以上の説明では、可動体１４を上方向へ完全に移動させた後、さらに回転して横向きにする操作について説明したが、上方向へ移動途中で可動体１４を回転する等、様々な操作を行うことも可能である。
【００４０】
また、可動体１４を付勢するばね１７も、説明した線状のもののほか、略Ｕ字状に折曲した板ばねや、螺旋状に巻回したコイルばね等、様々なものを用いても本発明の実施は可能である。
【産業上の利用可能性】
【００４１】
本発明による開閉装置及びこれを用いた電子機器は、簡易な構成で、多様な操作が可能なものを得ることができ、各種電子機器の開閉装置として有用である。
【図面の簡単な説明】
【００４２】
【図１】本発明の一実施の形態による開閉装置の平面図
【図２】同分解斜視図
【図３】同移動操作時の平面図
【図４】同回転操作時の平面図
【図５】同携帯電話の斜視図
【図６】従来の携帯電話の斜視図
【図７】同他の携帯電話の斜視図
【符号の説明】
【００４３】
１１  固定体
１１Ａ  貫通孔
１２  ピン
１３  リング
１４  可動体
１４Ａ  長孔
１４Ｂ、１４Ｃ  通孔
１５  取付板
１５Ａ  取付孔
１６  止め輪
１６Ａ  鍔部
１６Ｂ  筒部
１７  ばね
１７Ａ、１７Ｂ  係止部
２０  開閉装置
２１  操作部
２２  音声入力部
２３  固定筐体
２４  表示部
２５  音声出力部
２６  可動筐体
【図１】
2006352729.tif 000003
【図２】
2006352729.tif 000004
【図３】
2006352729.tif 000005
【図４】
2006352729.tif 000006
【図５】
2006352729.tif 000007
【図６】
2006352729.tif 000008
【図７】
2006352729.tif 000009